(57)【要約】  【課題】複数のＨＤＭＩ入力端子の物理アドレスの全てがそのＨＤＭＩ出力端子に接続される機器の物理アドレスを認識して更新できない場合の問題点を解決する。  【解決手段】コンテンツ伝送路および機器の物理的な接続関係を表すアドレスを伝送するための制御信号伝送路を介してソース側と接続される入力部と、コンテンツ伝送路および機器の物理的な接続関係を表すアドレスを伝送するための制御信号伝送路を介してシンク側と接続される出力部と、入力部および出力部の間に配され、入力部および出力部の間を接続する第１の接続状態と、入力部およびコンテンツ再生部を接続する第２の接続状態との何れか一方の状態をとるスイッチとを備える。第１の接続状態において、シンク側のアドレスを取得し、取得したアドレスを第２の接続状態において、ソース側に与えるアドレスとして設定する。【選択図】図８
2013005265.tif 000002
【特許請求の範囲】
【請求項１】
コンテンツを伝送するためのコンテンツ伝送路および機器の物理的な接続関係を表すアドレスを伝送するための制御信号伝送路を介してソース側と接続される入力部と、
コンテンツを伝送するためのコンテンツ伝送路および機器の物理的な接続関係を表すアドレスを伝送するための制御信号伝送路を介してシンク側と接続される出力部と、
前記入力部および前記出力部の間に配され、前記入力部および前記出力部の間を接続する第１の接続状態と、前記入力部およびコンテンツ再生部を接続する第２の接続状態との何れか一方の状態をとるスイッチとを備え、
前記スイッチの前記第１の接続状態において、前記制御信号伝送路を介して伝送される前記シンク側の前記アドレスを取得し、取得した前記アドレスを前記スイッチの前記第２の接続状態において、前記ソース側に与える前記アドレスとして設定するようにしたコンテンツ再生装置。
【請求項２】
前記ソース側は、複数のソースと接続され、一つのソースを選択するリピータにより構成される請求項１に記載のコンテンツ再生装置。
【請求項３】
前記ソース側は、複数のソースと接続され、一つのソースを選択するリピータにより構成され、
前記スイッチが前記第１の接続状態から前記第２の接続状態に切り替えられた場合に、前記リピータの前記複数のソースに対して与える前記アドレスの一部のみが更新される請求項１に記載のコンテンツ再生装置。
【請求項４】
前記入力部おいて前記出力部がＨＤＭＩ(High-definition multimedia interface  登
録商標)規格に対応する請求項１に記載のコンテンツ再生装置。
【請求項５】
前記シンク側には第１の表示装置が接続され、前記コンテンツ再生部が第２の表示装置である請求項１に記載のコンテンツ再生装置。
【請求項６】
前記シンク側には放送受信装置が接続され、前記コンテンツ再生部がヘッドマウントディスプレイである請求項１に記載のコンテンツ再生装置。
【請求項７】
入力部によって、コンテンツを伝送するためのコンテンツ伝送路および機器の物理的な接続関係を表すアドレスを伝送するための制御信号伝送路を介してソース側と接続し、
出力部によって、コンテンツを伝送するためのコンテンツ伝送路および機器の物理的な接続関係を表すアドレスを伝送するための制御信号伝送路を介してシンク側と接続し、
前記入力部および前記出力部の間に配されるスイッチによって、前記入力部および前記出力部間を接続する第１の接続状態と、前記入力部およびコンテンツ再生部とを接続する第２の接続状態とを切り替え、
前記スイッチの前記第１の接続状態において、前記制御信号伝送路を介して伝送される前記シンク側の前記アドレスを取得し、取得した前記アドレスを前記スイッチの前記第２の接続状態において、前記ソース側に与える前記アドレスとして設定するようにしたコンテンツ再生制御方法。
【発明の詳細な説明】
【技術分野】
【０００１】
本開示は、例えばＨＤＭＩケーブルによって放送受信装置と接続されるコンテンツ再生装置およびコンテンツ再生制御方法に関する。
【背景技術】
【０００２】
デジタル家電向けのＡＶインターフェースとしてＨＤＭＩ(High-definition multimedia interface   登録商標) が普及している。ＨＤＭＩは、画像（動画）の信号と、その画像に付随する音声の信号とを含むベースバンド信号を高速に伝送するデジタルインタフェースである。ＨＤＭＩの規格は、ＰＣ（Personal Computer ）とディスプレイの接続標準規格であるＤＶＩ（Digital Visual Interface）に音声伝送機能や著作権保護機能を加えて、ＡＶ（Audio Visual）機器向けにアレンジした規格である。
【０００３】
ＨＤＭＩを介して接続される装置には、ＨＤＭＩソース(HDMI Source) 、ＨＤＭＩシンク(HDMI Sink) およびＨＤＭＩリピータ(HDMI Repeater) の３種類がある。ＨＤＭＩソースは、ＨＤＭＩを介して、画像や音声の信号を出力する装置であり、ＨＤＭＩシンクは、ＨＤＭＩを介して、画像や音声の信号を受信して再生する装置である。ＨＤＭＩリピータは、１以上の入力端子と、１以上の出力端子とを備え、信号の分配や切り替えの機能を有する装置であり、ＨＤＭＩソースとＨＤＭＩシンクとを中継する。
【０００４】
ＨＤＭＩは、ＨＤＭＩソースから、必要なＨＤＭＩリピータを介して、ＨＤＭＩシンクに、ベースバンドの画像や音声の信号を一方向に送信するコンテンツ伝送路（信号チャンネル）を有する。ＨＤＭＩは、制御信号（制御データ）を双方向に送信する制御信号伝送路（制御チャンネル）を有する。制御信号伝送路は、ＤＤＣ(Display data channel)とＣＥＣ(Consumer Electronics Control)用の伝送路である。ＤＤＣは、ディスプレイの画素数や大きさなどの特性を記述したＥＤＩＤ(Extended Display Identification data)を伝送する。ＣＥＣは、ＨＤＭＩで接続された装置同士を制御する機能である。これらの伝送路と、５Ｖ電源と、各信号用のグラウンドなどが１本のＨＤＭＩケーブルにまとめられる。
【０００５】
ＣＥＣを利用すると、ＨＤＭＩケーブルで繋がれた機器をリモート操作することができる。例えば、放送受信装置とＨＤＭＩケーブルで接続された再生装置の再生ボタンが押されると、放送受信装置の電源が投入され、放送受信装置の入力がこの再生装置が接続されている入力に切り替えられるという動作が可能になる。この入力切替を実現するために、機器の物理的な接続関係を示すアドレス（物理アドレスと呼ばれる）が使用される。
【０００６】
接続ツリーの頂点に位置する放送受信装置（ルート）が物理アドレス“０．０．０．０”を持つ。放送受信装置に接続された機器は、その接続された入力端子に応じて異なった物理アドレスを取得する。その物理アドレスは、放送受信装置が内部に持つＥＤＩＤ−ＲＯＭに格納されている。放送受信装置の入力端子に物理アドレスとして“２．０．０．０”が格納されている場合、その入力端子に接続された機器例えばＡＶアンプがＤＤＣ(Display Data Channel)通信によりこの物理アドレスを取得し、取得した物理アドレスをその機器の物理アドレスとして認識する。さらに、ＡＶアンプに接続されたブルーレイディスク（ＢＤ（Blu-ray Disc（商標））プレーヤーが接続された端子のＥＤＩＤ−ＲＯＭを読み出し、物理アドレス“２．１．０．０”を取得する。
【０００７】
接続された各機器が物理アドレスによって互いの接続関係を把握することができる。例えば放送受信装置に対して接続された各ソースが取得した物理アドレスをＣＥＣコマンドを用いて伝送する。放送受信装置は、受信した物理アドレスによって、どの入力端子からコンテンツデータが供給されているかを判断でき、適切な入力を選択する。
【０００８】
下記の特許文献１には、電源がスタンバイ状態の際には、自らが持つＥＤＩＤ−ＲＯＭを読み込ませることができない仕様になっている機器が存在するために、生じる問題点を解決することが記載されている。
【先行技術文献】
【特許文献】
【０００９】
【特許文献１】特開２００９−２４６６５１４号公報
【発明の概要】
【発明が解決しようとする課題】
【００１０】
複数の入力端子を備えるリピータ例えばＡＶアンプとして、ＨＤＭＩ出力端子側のシンクの物理アドレスが変化した場合に、複数のＨＤＭＩ入力端子の中で選択中のソース機器が接続されているＨＤＭＩ入力端子以外の物理アドレスを更新できない種類の機器が存在する。このような機器の場合では、更新されていない物理アドレスの機器を選択した場合に、所定のＣＥＣ制御がなされない問題があった。特許文献１に記載のものは、かかる問題点を解決することができないものであった。
【００１１】
したがって、本開示の目的は、ＡＶアンプのような複数のＨＤＭＩ入力端子の物理アドレスの全てがそのＨＤＭＩ出力端子に接続される機器の物理アドレスを認識して更新できない場合の問題点が解決できるコンテンツ再生装置およびコンテンツ再生制御方法を提供することにある。
【課題を解決するための手段】
【００１２】
上述した課題を解決するために、本開示は、コンテンツを伝送するためのコンテンツ伝送路および機器の物理的な接続関係を表すアドレスを伝送するための制御信号伝送路を介してソース側と接続される入力部と、
コンテンツを伝送するためのコンテンツ伝送路および機器の物理的な接続関係を表すアドレスを伝送するための制御信号伝送路を介してシンク側と接続される出力部と、
入力部および出力部の間に配され、入力部および出力部の間を接続する第１の接続状態と、入力部およびコンテンツ再生部を接続する第２の接続状態との何れか一方の状態をとるスイッチとを備え、
スイッチの第１の接続状態において、制御信号伝送路を介して伝送されるシンク側のアドレスを取得し、取得したアドレスをスイッチの第２の接続状態において、ソース側に与えるアドレスとして設定するようにしたコンテンツ再生装置である。
【００１３】
本開示は、入力部によって、コンテンツを伝送するためのコンテンツ伝送路および機器の物理的な接続関係を表すアドレスを伝送するための制御信号伝送路を介してソース側と接続し、
出力部によって、コンテンツを伝送するためのコンテンツ伝送路および機器の物理的な接続関係を表すアドレスを伝送するための制御信号伝送路を介してシンク側と接続し、
入力部および出力部の間に配されるスイッチによって、入力部および出力部間を接続する第１の接続状態と、入力部およびコンテンツ再生部とを接続する第２の接続状態とを切り替え、
スイッチの第１の接続状態において、制御信号伝送路を介して伝送されるシンク側のアドレスを取得し、取得したアドレスをスイッチの第２の接続状態において、ソース側に与えるアドレスとして設定するようにしたコンテンツ再生制御方法である。
【発明の効果】
【００１４】
実施の形態によれば、切替部が第１の接続状態である場合には、コンテンツ再生装置は、コンテンツおよびアドレスをスルーさせている。この第１の接続状態において、シンク機器のアドレスを取得し、取得したアドレスを自身のアドレスとして設定する。したがって、切替部が第１の接続状態から第２の接続状態に切り替わった時に、所定のＣＥＣ機能を実現できない問題を生じない。
【図面の簡単な説明】
【００１５】
【図１】本開示を適用できるコンテンツ再生システムの概略的構成を示す略線図である。
【図２】本開示を適用できるコンテンツ再生システムの接続関係を示す接続図である。
【図３】図２に示すコンテンツ再生システムにおける物理アドレスの一例を示す接続図である。
【図４】ＡＶアンプを追加したコンテンツ再生システムにおける物理アドレスの一例を示す接続図である。
【図５】図４に示すコンテンツ再生システムにおける物理アドレスの一例を示す接続図である。
【図６】図４に示すコンテンツ再生システムにおける物理アドレスの一例を示す接続図である。
【図７】本開示の一実施の形態における物理アドレスの一例を示す接続図である。
【図８】本開示の一実施の形態の処理の流れを示すフローチャートである。
【発明を実施するための形態】
【００１６】
以下、実施の形態について説明する。なお、以下に説明する実施の形態は、好適な具体例であり、技術的に好ましい種々の限定が付されているが、本開示の範囲は、以下の説明において、特に本開示を限定する旨の記載がない限り、これらの実施の形態に限定されないものとする。
【００１７】
＜システムの概略＞
図１に示すように、一実施の形態では、シンク機器例えば放送受信装置（図面中では、ＴＶと表記する）１００に対してＨＤＭＩケーブル１０１を介してコンテンツ再生装置例えばヘッドマウントディスプレイ（図面中では、ＨＭＤと表記する）２００が接続される。ヘッドマウントディスプレイ２００に対してＨＤＭＩケーブル１０２を介してソース機器例えばブルーレイディスクプレーヤー（以下、ＢＤプレーヤーと称する）３００が接続される。放送受信装置１００は、テレビジョン放送を受信できると共に、インターネットと接続可能とされ、インターネット上のコンテンツを再生することが可能とされている。
【００１８】
ヘッドマウントディスプレイ２００は、切替部２０１と３Ｄ(three-dimensional) 再生部２０２とからなる。３Ｄ再生部２０２は、頭部に装着するベルト部分の裏側に例えば両眼で見ることができる２枚の有機ＥＬパネルからなる表示部が設けられている。表示部の解像度が例えば（１２８０×７２０）とされている。そして、２枚の有機ＥＬパネルによって３Ｄ表示が可能とされている。ベルト部分の両端には、ヘッドホンがそれぞれ設けられ、例えばバーチャル５．１チャンネルのオーディオ再生が可能とされている。切替部２０１からビデオ／オーディオデータがケーブル２０３を介して３Ｄ再生部２０２に供給される。ケーブル２０３に代えて無線伝送でビデオ／オーディオデータを伝送することも可能である。
【００１９】
＜システムの接続構成＞
放送受信装置１００、ヘッドマウントディスプレイ２００およびＢＤプレーヤー３００の接続に関しての構成を図２に示す。図２は、機器同士の接続に関する構成のみを示しており、ＢＤプレーヤー３００の信号再生のための信号処理等のコンテンツデータの処理に関する構成は、簡単のため省略されている。
【００２０】
ＢＤプレーヤー３００は、ＢＤから再生したビデオ／オーディオデータを送信部３０１に供給する。送信部３０１がＨＤＭＩのフォーマットでＨＤＭＩケーブル１０２を介してヘッドマウントディスプレイ２００にビデオ／オーディオデータを供給する。ＨＤＭＩケーブル１０１および１０２は、ビデオ／オーディオバスＬ１と、Ｉ２ＣバスＬ２と、ＣＥＣバスＬ３とを有する。
【００２１】
Ｉ２Ｃバスは、シリアルクロックと双方向のシリアルデータの２本の信号線で通信する同期式のシリアル通信のことである。バスには、複数のスレーブを接続することができ、マスターがスレーブのアドレスを指定してスレーブを選択し、そのスレーブと通信するようになされる。
【００２２】
ビデオ／オーディオバスＬ１には、複数チャンネルのＴＭＤＳ(Transition minimized
Differential Signal)用の差動信号路とクロック信号伝送路が含まれる。Ｉ２ＣバスＬ２は、ディスプレイの画素数、大きさ等の性能を記述したＤＤＣ(Display Data Channel)を伝送し、さらに、コンテンツ保護機能のために必要なＨＤＣＰ(High bandwidth Digital
Content Protection) のためのデータを伝送する。ＣＥＣバスＬ３は、ＨＤＭＩによって接続された機器同士を制御するためのデータを伝送する。
【００２３】
例えば図１におけるコンテンツ再生（表示）システムでは、放送受信装置１００がＨＤＭＩシンクとしての機能を有し、ＢＤプレーヤー３００がＨＤＭＩソースとしての機能を有する。ヘッドマウントディスプレイ２００の切替機能は、ＨＤＭＩリピータ（スイッチタイプ）としての機能であり、ヘッドマウントディスプレイ自身のコンテンツ再生機能は、ＨＤＭＩシンクとしての機能である。このようなコンテンツ再生システムを構成する各装置は、それぞれＣＥＣに対応しており、ＢＤプレーヤー３００における再生操作や、放送受信装置における電源オフ操作や選択操作に応じて、連携した動作を行うことが可能とされる。
【００２４】
ＢＤプレーヤー３００のＨＤＭＩ／ＣＥＣ制御用のコントローラ３０２に対してＩ２ＣバスＬ２およびＣＥＣバスＬ３が接続されている。ＨＤＭＩ／ＣＥＣ制御用のコントローラ３０２は、ＣＰＵ（Central Processing Unit ）、フラッシュＲＯＭ、ＤＲＡＭ（Dynamic Random Access Memory）等が内部バスを介して接続される構成とされている。他のＨＤＭＩ／ＣＥＣ制御用のコントローラ２０５および１０４も同様の構成とされている。
【００２５】
ヘッドマウントディスプレイ２００の切替部２０１は、物理的なスイッチ２０４、ＨＤＭＩ／ＣＥＣ制御用のコントローラ２０５および受信部２０６、ＥＤＩＤ(Extended Display Identification Data)−ＲＯＭ（不揮発性メモリ）２０７を有する。切替部２０１では、入力端子とスイッチ２０４との間からＨＤＭＩ／ＣＥＣ制御用のコントローラ２０５に対してＩ２ＣバスＬ２およびＣＥＣバスＬ３が接続される。ＥＤＩＤ−ＲＯＭ２０７には、ヘッドマウントディスプレイ２００の物理アドレスが格納されている。
【００２６】
スイッチ２０４は、ＨＤＭＩ／ＣＥＣ制御用のコントローラ２０５によって制御され、ＨＤＭＩケーブル１０２と接続されるＨＤＭＩ入力端子（以下、単に入力端子と適宜称する）を端子Ａ（以下、単にＡ側と適宜称する）および端子Ｂ（以下、単にＢ側と適宜称する）の一方に接続する。Ａ側は、シンク側と接続されている。Ａ側には、ＨＤＭＩ出力端子（以下、単に出力端子と適宜称する）およびＨＤＭＩケーブル１０１を介して放送受信装置１００が接続されている。Ｂ側は、切替部２０１内の受信部２０６と接続されている。受信部２０６に対してケーブル２０３を介して３Ｄ再生部２０２が接続されている。
【００２７】
したがって、スイッチ２０４がＡ側を選択する第１の接続状態においては、ＢＤプレーヤー３００で再生されたビデオ／オーディオ（コンテンツ）データが切替部２０１をスルーしてＨＤＭＩケーブル１０１を介して放送受信装置１００に供給される。スイッチ２０４がＢ側を選択する第２の接続状態においては、ＢＤプレーヤー３００で再生されたビデオ／オーディオ（コンテンツ）データおよび制御データがスイッチ２０４を介して受信部２０６に供給され、３Ｄ再生部２０２が３Ｄ再生を行う。スイッチ２０４の切替は、例えばユーザインターフェース（図示しない）からの指示によってなされる。
【００２８】
放送受信装置１００は、受信部１０３、ＨＤＭＩ／ＣＥＣ制御用のコントローラ１０４およびＥＤＩＤ−ＲＯＭ１０５−２を有する。受信部１０３から出力されるビデオ／オーディオデータが液晶ディスプレイ等のモニタに供給される。ＥＤＩＤ−ＲＯＭ１０５−２には、放送受信装置１００の入力端子に接続されている上流側の機器に対して与えるＥＤＩＤが記憶されている。放送受信装置１００が複数の入力端子を備えている場合、各入力端子毎に異なるＥＤＩＤが記憶されているＥＤＩＤ−ＲＯＭ１０５−１，１０５−２，１０５−３，１０５−４，１０５−５が設けられている。
【００２９】
＜接続関係と物理アドレス＞
本開示の一実施の形態では、スイッチ２０４がＡ側（放送受信装置１００側）を選択している状態と、Ｂ側（ヘッドマウントディスプレイ２００側）を選択している状態の何れにおいても、ＣＥＣが機能される。ＣＥＣ制御は、物理アドレスというＥＤＩＤ−ＲＯＭに格納されている物理的位置情報によって動作が規定される。物理アドレスは、最も下流側のルート機器（一実施の形態では、放送受信装置１００またはヘッドマウントディスプレイ２００）の与える物理アドレスによって、ＨＤＭＩで接続される全ての機器の物理アドレスが決まる仕組みとなっている。
【００３０】
切替部２０１のスイッチ２０４がＡ側を選択していた時に、放送受信装置１００がルート機器（すなわち、自身の物理アドレスが“０．０．０．０”）となる（図３参照）。放送受信装置１００がＢＤプレーヤー３００に与える物理アドレスの値が“２．０．０．０”になるような入力端子の位置に切替部２０１が接続されていたとする。すなわち、ＥＤＩＤ−ＲＯＭ１０５−２に格納されている物理アドレスが“２．０．０．０”とされている。なお、放送受信装置１００の他の入力端子の位置のＥＤＩＤ−ＲＯＭ１０５−１，１０５−３，１０５−４，１０５−５のそれぞれには、“１．０．０．０”、“３．０．０．０”、“４．０．０．０”、“５．０．０．０”の物理アドレスが格納されている。
【００３１】
一方、スイッチ２０４がＢ側を選択するように切り替えられると、ヘッドマウントディスプレイ２００がルート機器（すなわち、自身の物理アドレスが“０．０．０．０”）となる。スイッチ２０４のＢ側を通じてＢＤプレーヤー３００に与える物理アドレスが“１．０．０．０”となるような設定とされている。
【００３２】
したがって、スイッチ２０４がＡ側を選択している時には、ＢＤプレーヤー３００の物理アドレスが“２．０．０．０”であり、スイッチ２０４がＢ側を選択している時には、ＢＤプレーヤー３００の物理アドレスが“１．０．０．０”である。スイッチ２０４の切り替え動作に応じてＢＤプレーヤー３００の物理アドレスが動的に変化する。ＢＤプレーヤー３００がこの値を持って、その後のＣＥＣ動作を行うことになる。このようなシステム構成では、ＣＥＣ制御に関して問題が起きないケースが殆どである。
【００３３】
ユーザが既にＡＶアンプを含むコンテンツ再生システムを所有している場合では、図４に示すようなシステム構成とされる。すなわち、ＡＶアンプ４００の入力端子４０１−１および４０１−２に対してＨＤＭＩケーブル３０３−１および３０３−２を介して２台のプレーヤー例えばＢＤプレーヤー３００−１および３００−２がそれぞれ接続される。入力端子４０１−１に関係するＥＤＩＤ−ＲＯＭ４０２−１に、物理アドレス例えば“２．１．０．０”が格納され、接続端子４０１−２に関係するＥＤＩＤ−ＲＯＭ４０２−２に、物理アドレス例えば“２．２．０．０”が格納される。
【００３４】
ＡＶアンプ４００の出力端子に対してＨＤＭＩケーブル１０２を介してヘッドマウントディスプレイ２００の切替部２０１の入力端子が接続される。切替部２０１と放送受信装置１００とのＨＤＭＩ接続は、図３と同様である。
【００３５】
図４に示すように、スイッチ２０４がＡ側を選択している時は、放送受信装置１００がＡＶアンプ４００に物理アドレス“２．０．０．０”を与えている。ＡＶアンプ４００の物理アドレスが“２．０．０．０”であるので、ＡＶアンプ４００は、入力端子４０１−１に接続されているＢＤプレーヤー３００−１に対して物理アドレス“２．１．０．０”を与え、入力端子４０１−２に接続されているＢＤプレーヤー３００−２に対して物理アドレス“２．２．０．０”を与える。
【００３６】
次に、図４に示す接続関係からスイッチ２０４をＢ側に切り替えた状態を図５に示す。スイッチ２０４がＢ側を選択している時には、ＢＤプレーヤー３００−１または３００−２から送られてくるビデオ／オーディオデータをヘッドマウントディスプレイ２００自身が受け取っている。したがって、ヘッドマウントディスプレイ２００がＡＶアンプ４００に与えている物理アドレスが“１．０．０．０”に切り替わる。スイッチ２０４のＢ側への切り替え時に、ＥＤＩＤ−ＲＯＭ４０２−１に格納される物理アドレスが“１．１．０．０”に直ちに更新され、ＥＤＩＤ−ＲＯＭ４０２−２に格納される物理アドレスが“１．２．０．０”に直ちに更新される。
【００３７】
図５に示すように、スイッチ２０４がＡ側からＢ側に切り替わると、ＡＶアンプ４００に接続されているＢＤプレーヤー３００−１および３００−２に対してＡＶアンプ４００が与える物理アドレスが“１．１．０．０”および“１．２．０．０”に切り替わる。このように、ＡＶアンプ４００の全ての接続端子と関連するＥＤＩＤ−ＲＯＭに格納される物理アドレスの値が直ぐに追従して更新されるのであれば、問題が生じない。
【００３８】
しかしながら、ＨＤＭＩの規格においては、上述したように、スイッチ２０４がＡ側からＢ側に切り替わった時に、リアルタイムで物理アドレスが切り替わることを遵守するように、規定されていない。したがって、ＡＶアンプとして、下流側のシンク機器が切り替わった場合に、現在選択している入力端子の物理アドレスのみを更新する構成のものが存在する可能性がある。そのような構成のＡＶアンプ（ＡＶアンプ４００’と表記する）の場合では、問題が発生する可能性がある。
【００３９】
問題の発生について図６を参照して説明する。図６は、図４の状態からスイッチ２０４をＡ側からＢ側に切り替えた後の状態である。ＡＶアンプ４００’において、現在、ＢＤプレーヤー３００−１が接続されている入力端子４０１−１を選択している場合、選択中の入力端子４０１−１に関連するＥＤＩＤ−ＲＯＭ４０２−１に格納される物理アドレスが直ぐに更新され、“１．１．０．０”となる。一方、非選択の入力端子４０１−２に関連するＥＤＩＤ−ＲＯＭ４０２−２に格納される物理アドレスが直ぐに更新されず、“２．２．０．０”のままとなる。その結果、ＢＤプレーヤー３００−２に対して与えられる物理アドレスも更新されない。ユーザがＡＶアンプ４００’において、入力端子４０１−２をマニュアル操作によって選択した時に、初めて物理アドレスを“１．２．０．０”に更新できる。
【００４０】
このように、ＢＤプレーヤー３００−２が古いアドレスを持ったままとなるようなＡＶアンプ４００’もＨＤＭＩ規格上存在しうる。この図６に示す物理アドレスをＢＤプレーヤー３００−２が持った状態において、ＢＤプレーヤー３００−２からＣＥＣのワンタッチプレイを行うと、ＢＤプレーヤー３００−２から物理アドレス“２．２．０．０”にてコマンドが発行されてしまう。
【００４１】
ワンタッチプレイは、ＢＤプレーヤーの操作（ディスクを挿入する、再生ボタンを押す）を行うと、ＡＶアンプの電源が入り、自動的に入力切替が行われるＣＥＣを使用した機器間相互制御の機能のことである。ワンタッチプレイの機能を実際に発揮させるためには、本来は物理アドレス“１．２．０．０”にてコマンドが発行されることが必要である。したがって、ＡＶアンプ４００’は、ＢＤプレーヤー３００−２の接続された入力端子４０１−２を自動的に選択する切替動作を行うことができない等の支障が発生する。
【００４２】
本開示は、このような問題点を解決するものである。すなわち、ヘッドマウントディスプレイ２００のスイッチ２０４をＡ側からＢ側に切り替えた時に、ヘッドマウントディスプレイ２００がＡＶアンプ４００（ＡＶアンプ４００’でも同様）に与えている物理アドレスの値に変化がなければ、ＡＶアンプ４００の上流側に接続されているＢＤプレーヤー３００−１および３００−２に対して与えられる物理アドレスも変化しない。したがって、スイッチ２０４の切替の前後でＣＥＣによる機器間相互制御の機能が損なわれることがない。
【００４３】
本開示は、ヘッドマウントディスプレイ２００が有する物理アドレスの値を放送受信装置１００の持っている物理アドレスの値と同一とするものである。すなわち、物理アドレスのミラーリングを行う仕組みを設け、スイッチ２０４のＡ側からＢ側への切替を行った前後において、ヘッドマウントディスプレイ２００がＡＶアンプ４００に対して与える物理アドレスを同一とすることができる。
【００４４】
図７の接続関係は、図６の接続関係と同様に、スイッチ２０４をＡ側からＢ側に切り替えた後の状態を示している。ヘッドマウントディスプレイ２００の切替部２０１のＥＤＩＤ−ＲＯＭ２０７には、放送受信装置１００の入力端子のＥＤＩＤ−ＲＯＭ１０５−２に格納されているのと同じ値の物理アドレス“２．０．０．０”が格納されている。
【００４５】
したがって、スイッチ２０４の切替の前後において、ＡＶアンプ４００（ＡＶアンプ４００’でも同様）に与えられる物理アドレスが変化しない。このことは、ＡＶアンプ４００において、ＢＤプレーヤー３００−１および３００−２がそれぞれ接続される入力端子と関連するＥＤＩＤ−ＲＯＭ４０２および４０２−２の更新が不要なことを意味する。したがって、ＡＶアンプ４００が非選択の入力端子を含む全ての入力端子に関連するＥＤＩＤ−ＲＯＭの更新を行うことができないタイプ（ＡＶアンプ４００’）であっても、ＣＥＣによる機器連携制御が機能しなくなることを防止することができる。
【００４６】
本開示の一実施の形態の処理について図８のフローチャートを参照して説明する。ステップＳ１は、事前準備（または事前設定）である。ステップＳ１において、ヘッドマウントディスプレイ２００の切替部２０１において、スイッチ２０４がＡ側を選択している時は、ＢＤプレーヤー３００−１からのビデオ／オーディオデータがＨＤＭＩケーブル３０３−１、ＡＶアンプ４００、ＨＤＭＩケーブル１０２、スイッチ２０４、ＨＤＭＩケーブル１０１を介して放送受信装置１００に供給され、放送受信装置１００において、このデータが再生される。
【００４７】
このとき、ＢＤプレーヤー３００−１は、Ｉ２Ｃバスを使用して放送受信装置１００のＥＤＩＤ能力の読み取りや、認証作業を行っている（ステップＳ２）。ＢＤプレーヤー３００−１がＩ２Ｃバスを通じて放送受信装置１００と通信している内容には、放送受信装置１００がＢＤプレーヤー３００−１に対して与えている物理アドレス情報が含まれている。
【００４８】
ステップＳ３において、ヘッドマウントディスプレイ２００は、ＢＤプレーヤー３００−１が放送受信装置１００とＩ２Ｃバスを介して通信しているデータを傍受する。具体的には、切替部２０１のコントローラ２０５がデータを傍受する。そして、コントローラ２０５が通信内容から放送受信装置１００がＢＤプレーヤー３００−１に対して与えている物理アドレスが読み取れた場合には、その物理アドレスの値をコントローラ２０５が有するメモリ（ＲＡＭ、ＥＥＰＲＯＭ等）に記憶し、さらに、コントローラ２０５がＥＤＩＤ−ＲＯＭ２０７に読み取った物理アドレスの値を記憶する（ステップＳ４）。
【００４９】
ステップＳ４を実行すると、ステップＳ５で示すように、スイッチ２０４をＡ側からＢ側に切り替えた場合でも、ＢＤプレーヤー３００−１に対して与える物理アドレスが変化しない。この仕組みを使用することによって、スイッチ２０４をＢ側に切り替えた時に、直ぐに物理アドレスを更新できない入力端子を有する仕様のＡＶアンプ４００’を使用した場合でも問題が起きなくなる。
【００５０】
すなわち、図７の例に示すように、スイッチ２０４の切り替えの前後において、ＡＶアンプ４００に与えられる物理アドレスが“２．０．０．０”のままで変化しない。したがって、非選択中であったＢＤプレーヤー３００−２の再生動作を開始した場合に、ＡＶアンプ４００の入力切替がなされ、ヘッドマウントディスプレイ２００を通って放送受信装置１００によりビデオ／オーディオデータのコンテンツが再生されるワンタッチプレイ（ＣＥＣによる機器連携動作の一例）を支障なく行うことができる。
【００５１】
なお、本開示は、以下のような構成も取ることができる。
（１）
コンテンツを伝送するためのコンテンツ伝送路および機器の物理的な接続関係を表すアドレスを伝送するための制御信号伝送路を介してソース側と接続される入力部と、
コンテンツを伝送するためのコンテンツ伝送路および機器の物理的な接続関係を表すアドレスを伝送するための制御信号伝送路を介してシンク側と接続される出力部と、
前記入力部および前記出力部の間に配され、前記入力部および前記出力部の間を接続する第１の接続状態と、前記入力部およびコンテンツ再生部を接続する第２の接続状態との何れか一方の状態をとるスイッチとを備え、
前記スイッチの前記第１の接続状態において、前記制御信号伝送路を介して伝送される前記シンク側の前記アドレスを取得し、取得した前記アドレスを前記スイッチの前記第２の接続状態において、前記ソース側に与える前記アドレスとして設定するようにしたコンテンツ再生装置。
（２）
前記ソース側は、複数のソースと接続され、一つのソースを選択するリピータにより構成される（１）に記載のコンテンツ再生装置。
（３）
前記ソース側は、複数のソースと接続され、一つのソースを選択するリピータにより構成され、
前記スイッチが前記第１の接続状態から前記第２の接続状態に切り替えられた場合に、前記リピータの前記複数のソースに対して与える前記アドレスの一部のみが更新される（１）または（２）に記載のコンテンツ再生装置。
（４）
前記入力部おいて前記出力部がＨＤＭＩ(High-definition multimedia interface   登録商標) 規格に対応する（１）（２）または（３）に記載のコンテンツ再生装置。
（５）
前記シンク側には第１の表示装置が接続され、前記コンテンツ再生部が第２の表示装置である（１）（２）（３）または（４）に記載のコンテンツ再生装置。
（６）
前記シンク側には放送受信装置が接続され、前記コンテンツ再生部がヘッドマウントディスプレイである（１）（２）（３）（４）または（５）に記載のコンテンツ再生装置。
（７）
入力部によって、コンテンツを伝送するためのコンテンツ伝送路および機器の物理的な接続関係を表すアドレスを伝送するための制御信号伝送路を介してソース側と接続し、
出力部によって、コンテンツを伝送するためのコンテンツ伝送路および機器の物理的な接続関係を表すアドレスを伝送するための制御信号伝送路を介してシンク側と接続し、
前記入力部および前記出力部の間に配されるスイッチによって、前記入力部および前記出力部間を接続する第１の接続状態と、前記入力部およびコンテンツ再生部とを接続する第２の接続状態とを切り替え、
前記スイッチの前記第１の接続状態において、前記制御信号伝送路を介して伝送される前記シンク側の前記アドレスを取得し、取得した前記アドレスを前記スイッチの前記第２の接続状態において、前記ソース側に与える前記アドレスとして設定するようにしたコンテンツ再生制御方法。
【００５２】
＜変形例＞
以上、本開示の実施形態について具体的に説明したが、上述の各実施形態に限定されるものではなく、本開示の技術的思想に基づく各種の変形が可能である。ソース機器としては、ＢＤプレーヤー以外の機器を使用しても良く、シンク機器としては、放送受信装置以外の機器を使用しても良い。本開示は、ＨＤＭＩを使用するのに限らず、他の有線インターフェース、無線インターフェースを使用するようにしても良い。
【符号の説明】
【００５３】
１００・・・放送受信装置
１０１，１０２，３０３−１，３０３−２・・・ＨＤＭＩケーブル
１０４，２０５，３０２・・・ＨＤＭＩ／ＣＥＣ制御用のコントローラ
１０５−１〜１０５−５，２０７，４０２−１，４０２−２・・・ＥＤＩＤ−ＲＯＭ
２００・・・ヘッドマウントディスプレイ
２０１・・・切替部
２０２・・・３Ｄ再生部
２０４・・・スイッチ
３００，３００−１，３００−２・・・ＢＤプレーヤー
４００・・・ＡＶアンプ
【図１】
2013005265.tif 000003
【図２】
2013005265.tif 000004
【図３】
2013005265.tif 000005
【図４】
2013005265.tif 000006
【図５】
2013005265.tif 000007
【図６】
2013005265.tif 000008
【図７】
2013005265.tif 000009
【図８】
2013005265.tif 000010